【手続補正書】
【提出日】平成16年6月18日(2004.6.18)
【手続補正１】
【補正対象書類名】明細書
【補正対象項目名】特許請求の範囲
【補正方法】変更
【補正の内容】
【特許請求の範囲】
【請求項１】  同位相搬送波信号を受け取って、同位相情報信号で変調し、第１の変調成分を発生させるように構成された第１のミキサと、
直角位相搬送波信号を受け取って、直角位相情報信号で変調し、第２の変調成分を発生させるように構成された第２のミキサと、
同位相搬送波信号を受け取って、直角位相情報信号で変調し、信号反転を含む第３の変調成分を発生させるように構成された第３のミキサと、
直角位相搬送波信号を受け取って、同位相情報信号で変調し、第４の変調成分を発生させるように構成された第４のミキサと、
第１および第４のミキサに結合され、第１および第４の変調成分を受け取って合成し、同位相変調成分を発生させるように構成された第１の合計器と、
第２および第３のミキサに結合され、第２および第３の変調成分を受け取って合成し、直角位相変調成分を発生させるように構成された第２の合計器とを具備し、
同位相および直角位相搬送波信号のそれぞれは差動信号として提供される変調器。
【請求項２】  同位相および直角位相搬送波信号は互いにほぼ９０度位相がずれている請求項１記載の変調器。
【請求項３】  ミキサはギルバートセル乗算器で構成されている請求項１記載の変調器。
【請求項４】  ギルバートセル乗算器はバイポーラトランジスタで構成されている請求項３記載の変調器。
【請求項５】  ギルバートセル乗算器はＭＯＳＦＥＴで構成されている請求項３記載の変調器。
【請求項６】  合計器はギルバートセル乗算器の出力を交差結合させることにより構成されている請求項３記載の変調器。
【請求項７】  同位相および直角位相搬送波信号は２つの中間搬送波信号を使用して発生される請求項１記載の変調器。
【請求項８】  ２つの中間搬送波信号は２つの異なる周波数にある請求項７記載の変調器。
【請求項９】  ２つの中間搬送波信号はＩＦ搬送波信号およびＲＦ搬送波信号を含む請求項７記載の変調器。
【請求項１０】  ミキサと合計器はスタック回路トポロジーを使用して構成されている請求項１記載の変調器。
【請求項１１】  請求項１記載の変調器を具備する送信機。
【請求項１２】  １組の搬送波信号を受け取って、特定の変調スキームにしたがって１組の情報信号で変調し、第１の変調成分を発生させるように構成された第１の変調ユニットと、
１組の搬送波信号を受け取って、特定の変調スキームにしたがって１組の情報信号で変調し、信号反転を含む第２の変調成分を発生させるように構成された第２の変調ユニットとを具備し、
信号反転は、情報信号のサブセットまたは搬送波信号のサブセットを反転させることにより達成される変調器。
【請求項１３】  第１および第２の変調ユニットに結合され、第１および第２の変調成分を受け取って合成し、変調信号を発生させるように構成された合計器をさらに具備する請求項１２記載の変調器。
【請求項１４】  第１および第２の変調ユニットはほぼ３つの信号レベルを有する混合関数を提供するようにそれぞれ構成されている請求項１２記載の変調器。
【請求項１５】  各変調ユニットは、
同位相搬送波信号を受け取って第１の情報信号で変調するように構成された第１のミキサと、
直角位相搬送波信号を受け取って第２の情報信号で変調するように構成された第２のミキサと、
第１および第２のミキサに結合され、第１および第２のミキサからの出力を受け取って合成し、変調成分を提供するように構成された合計器とを具備し、
第１および第２の変調ユニットに提供される情報信号がスワップされる請求項１２記載の変調器。
【請求項１６】  ミキサはギルバートセル乗算器で構成されている請求項１５記載の変調器。
【請求項１７】  合計器はギルバートセル乗算器の出力を交差結合させることにより構成されている請求項１６記載の変調器。
【請求項１８】  信号反転は搬送波信号および情報信号を提供するのに使用される差動信号線をスワッピングすることにより実行される請求項１２記載の変調器。
【請求項１９】  特定の変調スキームは直角位相シフトキーイング（ＱＰＳＫ）である請求項１２記載の変調器。
【請求項２０】  特定の変調スキームはオフセット直角位相シフトキーイング（ＯＱＰＳＫ）である請求項１２記載の変調器。
【請求項２１】  同位相成分と直角位相成分を有する情報信号を変調する方法において、
同位相搬送波信号を同位相成分で変調して第１の変調成分を発生させ、
直角位相搬送波信号を直角位相成分で変調して第２の変調成分を発生させ、
同位相搬送波信号を直角位相成分で変調して信号反転を含む第３の変調成分を発生させ、
直角位相搬送波信号を同位相成分で変調して第４の変調成分を発生させ、
第１および第４の変調成分を合計して同位相変調成分を提供し、
第２および第３の変調成分を合計して直角位相変調成分を提供することを含み、
同位相および直角位相搬送波信号のそれぞれは差動信号として提供される方法。
【請求項２２】  同位相および直角位相変調成分を合計して変調信号を提供することをさらに含む請求項２１記載の方法。
【請求項２３】  変調前に同位相搬送波信号または直角位相成分を反転させて第３の変調成分を発生させることをさらに含む請求項２１記載の方法。
【請求項２４】  少なくとも１つのアナログ信号を受け取るように構成された少なくとも１つのバッファと、
少なくとも１つのバッファに結合され、少なくとも１つの搬送波信号を受け取って少なくとも１つのアナログ信号で変調して、変調信号を提供するように構成された変調器と、
変調器に結合され、変調信号を受け取って増幅する少なくとも１つの可変利得増幅器（ＶＧＡ）とを具備し、
変調器は、
少なくとも１つの搬送波信号を受け取って、特定の変調スキームにしたがって少なくとも１つのアナログ信号で変調して、第１の変調成分を発生させるように構成された第１の変調ユニットと、
少なくとも１つの搬送波信号を受け取って、特定の変調スキームにしたがって少なくとも１つのアナログ信号で変調して、第１の変調成分に対する信号反転を含む第２の変調成分を発生させるように構成された第２の変調ユニットと、
第１および第２の変調ユニットに結合され、第１および第２の変調成分を合成して変調信号を発生させるように構成された合計器とを備えているセルラ電話中の送信機。
【請求項２５】  各変調ユニットは、
同位相搬送波信号を受け取って第１のアナログ信号で変調するように構成された第１のミキサと、
直角位相搬送波信号を受け取って第２のアナログ信号で変調するように構成された第２のミキサと、
第１および第２のミキサに結合され、ミキサからの出力を受け取って合成し、変調成分を発生させるように構成された合計器とを含む請求項２４記載の送信機。
【請求項２６】  同位相および直角位相搬送波信号を受け取って同位相および直角位相情報信号でそれぞれ変調して、第１の変調成分を発生させるように構成された第１の変調器と、
直角位相および同位相搬送波信号を受け取って同位相および直角位相情報信号でそれぞれ変調して、第２の変調成分を発生させるように構成された第２の変調器と、
第１および第２の変調ユニットに結合され、第１および第２の変調成分を合成して変調信号を発生させるように構成された合計器とを備え、
同位相および直角位相搬送波信号ならびに同位相および直角位相情報信号を受け取って変調信号を提供するように構成された変調器と、
第１の中間信号を受け取って、第１の同位相中間信号および第１の直角位相中間信号を発生させるように構成された第１の位相シフトネットワークと、
第１の位相シフトネットワークに結合され、第１の直角位相および同位相中間信号を受け取って、それぞれ第２の中間信号と合成するように構成された第１のおよび第２のミキサと、
第１および第２のミキサにそれぞれ結合され、各ミキサからの出力を受け取って１組の位相シフトされた信号を発生させるようにそれぞれ構成された第２および第３の位相シフトネットワークと、
第２および第３の位相シフトネットワークに結合され、第２の位相シフトネットワークからのものと、第３の位相シフトネットワークからのものの、１対の位相シフトされた信号を受け取って合計し、各搬送波信号を発生させるようにそれぞれ構成された第１および第２の合計器とを備え、
変調器に結合され、第１および第２の中間信号受け取って、同位相および直角位相搬送波信号を提供するように構成された信号発生器とを具備する送信機。
【請求項２７】  変調信号を受け取って同位相搬送波信号で復調して、第１の復調成分を提供するように構成された第１のミキサと、
変調信号を受け取って直角位相搬送波信号で復調して、第２の復調成分を提供するように構成された第２のミキサと、
変調信号を受け取って同位相搬送波信号で復調して、第３の復調成分を提供するように構成された第３のミキサと、
変調信号を受け取って直角位相搬送波信号で復調して、第４の復調成分を提供するように構成された第４のミキサと、
第１および第４のミキサに結合され、第１および第４の復調成分を受け取って合成し、同位相復調信号を提供するように構成された第１の合計器と、
第２および第３のミキサに結合され、第２および第３の復調成分を受け取って第３の復調成分を第２の復調成分から減算して、直角位相復調信号を提供するように構成された第２の合計器とを具備する復調器。
【請求項２８】  変調信号を受け取って、変調信号を表す電流信号を提供するように構成された利得ステージと、
利得ステージに結合され、電流信号を受け取って同位相搬送波信号と混合して、第１の復調信号を提供するように構成された第１のミキサと、
利得ステージに結合され、電流信号を受け取って直角位相搬送波信号と混合して、第２の復調信号を提供するように構成された第２のミキサとを具備する復調器。